(57)【要約】ＴＶ番組の既存の表示の遮ることなく、フルスクリーン・モードで表示されている受信された拡張デジタルＴＶ番組との対話を開始すること。本方法は、ディスプレイ上にフルスクリーン・モードで拡張デジタルＴＶ番組のビデオ成分を表示すること、拡張デジタルＴＶ番組のデータ成分から放送事業者の局ＩＤに関連する情報を抽出すること、ディスプレイ上でその情報に従って変更された外観で局ＩＤを表示すること、および変更された外観に応答して、対話モードに入るための視聴者入力選択を受け入れることを含む。局ＩＤは、拡張デジタルＴＶ番組の受信の一環として新しい副次デジタル・コンテンツが受信されたときにだけ、変更された外観で表示されることが可能である。視聴者入力選択の結果、スクリーンの一部分でＴＶ番組の副次デジタル・コンテンツの表示がもたらされることが可能である。
2004509483.tif 000002
【特許請求の範囲】
【請求項１】
受信された拡張デジタルＴＶ番組との対話を開始する方法であって、
ディスプレイ上にフルスクリーン・モードで前記拡張デジタルＴＶ番組のビデオ成分を表示すること、
前記拡張デジタルＴＶ番組のデータ成分から放送事業者の局ＩＤに関連する情報を抽出すること、
前記ディスプレイ上で前記情報に従って変更された外観で前記局ＩＤを表示すること、および
前記変更された外観に応答して、対話モードに入るための視聴者入力選択を受け入れることを含む方法。
【請求項２】
変更された外観で前記局ＩＤを表示することが、前記局ＩＤをアニメートすることを含む請求項１に記載の方法。
【請求項３】
変更された外観で前記局ＩＤを表示することが、前記局ＩＤの表示の位置、色合い、およびサイズのうち少なくともどれかの変更を行うことを含む請求項１に記載の方法。
【請求項４】
変更された外観で前記局ＩＤを表示することが、変更された外観を前記ビデオ成分の前記フルスクリーン表示と混ぜて前記変更された外観を少なくとも部分的に透明にすることを含む請求項１に記載の方法。
【請求項５】
前記視聴者入力選択を受け入れることに応答して前記データ成分に含まれる副次デジタル・コンテンツと視聴者が対話することをさらに含む請求項１に記載の方法。
【請求項６】
前記情報が、前記局ＩＤの表示の位置、前記ディスプレイ上の前記局ＩＤの外観をいつアニメートするか、または別の仕方で変更するかに関連する情報、および前記対話モードに入るため前記視聴者によって前記局ＩＤが選択されたときに行われるさらなる処理を説明する情報の少なくともどれかを含む請求項１に記載の方法。
【請求項７】
変更された外観で前記局ＩＤを表示することが、前記拡張デジタルＴＶ番組の受信の一環として新しい副次デジタル・コンテンツが受信されたとき、変更された外観で前記局ＩＤを表示することを含む請求項１に記載の方法。
【請求項８】
複数のマシン可読命令を有する記憶媒体からなる製品であって、
プロセッサによって命令が実行されたとき、ディスプレイ上にフルスクリーン・モードで前記拡張デジタルＴＶ番組のビデオ成分を表示すること、前記拡張デジタルＴＶ番組のデータ成分から放送事業者の局ＩＤに関連する情報を抽出すること、前記ディスプレイ上で前記情報に従って変更された外観で前記局ＩＤを表示すること、および前記変更された外観に応答して、対話モードに入るための視聴者入力選択を受け入れることによって、受信された拡張デジタルＴＶ番組との対話を開始させる製品。
【請求項９】
変更された外観で前記局ＩＤを表示するための命令が、前記ＩＤをアニメートするための命令を含む請求項８に記載の製品。
【請求項１０】
変更された外観で前記局ＩＤを表示するための命令が、前記局ＩＤの表示の位置、色合い、およびサイズのうち少なくともどれかの変更を行うための命令を含む請求項８に記載の製品。
【請求項１１】
変更された外観で前記局ＩＤを表示するための命令が、変更された外観を前記ビデオ成分の前記フルスクリーン表示と混ぜて前記変更された外観を少なくとも部分的に透明にするための命令を含む請求項８に記載の製品。
【請求項１２】
前記視聴者入力選択を受け入れることに応答して前記データ成分に含まれる副次デジタル・コンテンツと視聴者が対話するための命令をさらに含む請求項８に記載の製品。
【請求項１３】
前記情報が、前記局ＩＤの表示の位置、前記ディスプレイ上の前記局ＩＤの外観をいつアニメートするか、または別の仕方で変更するかに関連する情報、および前記対話モードに入るため前記視聴者によって前記局ＩＤが選択されたときに行われるさらなる処理を説明する情報の少なくともどれかを含む請求項８に記載の製品。
【請求項１４】
変更された外観で前記局ＩＤを表示するための命令が、前記拡張デジタルＴＶ番組の受信の一環として新しい副次デジタル・コンテンツが受信されたとき、変更された外観で前記局ＩＤを表示するための命令を含む請求項８に記載の製品。
【請求項１５】
フルスクリーン・モードでディスプレイ上に表示されている受信された拡張デジタルＴＶ番組との対話を開始するシステムであって、
前記拡張デジタルＴＶ番組のデータ成分から放送事業者の局ＩＤに関連する情報を抽出するエクストラクタ論理と、
前記ディスプレイ上で前記情報に従って変更された外観で前記局ＩＤを表示させるアニメータ論理と、
前記変更された外観に応答して対話モードに入るための視聴者入力選択を受け入れる対話論理とを含むシステム。
【請求項１６】
変更された外観で前記局ＩＤを表示させる前記アニメータ論理が、前記局ＩＤをアニメートする論理を含む請求項１５に記載のシステム。
【請求項１７】
変更された外観で前記局ＩＤを表示させる前記アニメータ論理が、前記局ＩＤの表示の位置、色合い、およびサイズの少なくともどれかの変更を行う論理を含む請求項１５に記載のシステム。
【請求項１８】
変更された外観で前記局ＩＤを表示させる前記アニメータ論理が、変更された外観を前記ビデオ成分の前記フルスクリーン表示と混ぜて前記変更された外観を少なくとも部分的に透明にする論理を含む請求項１５に記載のシステム。
【請求項１９】
前記対話論理が、前記視聴者入力選択を受け入れることに応答して前記データ成分に含まれる副次デジタル・コンテンツと視聴者が対話するための論理をさらに含む請求項１５に記載のシステム。
【請求項２０】
前記情報が、前記局ＩＤの表示の位置、前記ディスプレイ上の前記局ＩＤの外観をいつアニメートするか、または別の仕方で変更するかに関連する情報、および前記対話モードに入るため前記視聴者によって前記局ＩＤが選択されたときに行われるさらなる処理を説明する情報の少なくともどれかを含む請求項１５に記載のシステム。
【請求項２１】
前記アニメータ論理が、前記拡張デジタルＴＶ番組の受信の一環として新しい副次デジタル・コンテンツが受信されたとき、変更された外観で前記局ＩＤを表示させる請求項１５に記載のシステム。
【請求項２２】
拡張デジタルＴＶ番組のオーディオ成分、ビデオ成分、およびデータ成分を受信すること、
視聴者による認識のために前記オーディオ成分および前記ビデオ成分を復号してレンダリングし、前記ビデオ成分が、ディスプレイのフルスクリーン・モードで表示されること、
前記データ成分から放送事業者の局ＩＤに関連する情報を抽出すること、
前記情報に基づくアニメートされた形式で前記局ＩＤを表示すること、
前記アニメートされた局ＩＤに応答して対話モードを開始するための視聴者入力選択を受け入れること、および
前記視聴者入力選択に応答して前記データ成分に含まれる副次デジタル・コンテンツと対話することを含む方法。
【請求項２３】
前記情報が、前記局ＩＤの表示の位置、前記ディスプレイ上の前記局ＩＤをいつアニメートするかに関連する情報、および前記対話モードに入るため前記視聴者によって前記局ＩＤが選択されたときに行われるさらなる処理を説明する情報の少なくともどれかを含む請求項２３に記載の方法。
【請求項２４】
前記ビデオ成分が前記ディスプレイの第２の部分でレンダリングされている間に前記ディスプレイの第１の部分で前記副次デジタル・コンテンツと対話することをさらに含む請求項２３に記載の方法。
【発明の詳細な説明】
【０００１】
（背景）
１．分野
本発明は、一般に、対話式デジタル・テレビジョン・システムに関し、より具体的には、デジタル・テレビジョン放送で対話を開始することに関する。
【０００２】
２．説明
視聴者は、「フルスクリーン」モードでテレビジョン（ＴＶ）を見ることに慣れている。つまり、現在のＴＶ放送信号は、ＴＶセット・モニタまたはその他の表示モニタの画面全体を縁から縁まで埋める。デジタルＴＶの到来とともに、視聴者は、さらなる対話機能を期待しているが、フルスクリーンＴＶ鑑賞の慣れ親しんだ感覚も期待している。デジタルＴＶ番組が、付加的な対話式デジタル・コンテンツで機能が拡張された場合、デジタルＴＶは、ＴＶ番組と対話する新しい仕方を視聴者に提供する。しかし、新しい機能とともに、新しい問題も生じる。１次デジタル・コンテンツ（すなわち、ＴＶ番組）がＴＶスクリーン全体を覆っているとき、視聴者は、デジタルＴＶ信号の一部として、着信するかもしれない副次デジタル・コンテンツ（例えば、対話式コンテンツ）とどのように対話を開始するのであろうか。
【０００３】
一手法は、ＴＶ表示画面のサイズをフルスクリーンより小さくし、ＴＶ番組表示の１つまたは複数の縁に副次デジタル・コンテンツを配置することである。ＴＶ番組の周囲のコンテンツは、通常、対話式になり、番組放送中の特定の時刻に更新されることが可能である。もちろん、この解決策は、ＴＶをフルスクリーンで鑑賞する側面を取り去る。別の手法は、フルスクリーンのＴＶ表示画面よりさらに上に１つまたは複数の表示オブジェクトを配置することである。例えば、この表示オブジェクトは、対話オペレーション・モードに行くためのユーザ・インターフェース・ボタンなどであろう。この場合、視聴者は、表示オブジェクトを選択して副次コンテンツとの対話を開始する。この手法は、フルスクリーンのＴＶ鑑賞の体験に極めて近いものを提供する。ただし、この手法の重大な欠点は、表示オブジェクトが配置された領域がＴＶ番組を視界から遮ることである。明らかに以上の手法のどちらも、理想的ではない。フルスクリーン鑑賞体験を確実にする拡張デジタルＴＶ放送において副次デジタル・コンテンツと対話を開始するよりよい方法が望まれる。
【０００４】
本発明の特徴および利点は、本発明の以下の詳細な説明から明白になる。
【０００５】
（詳細な説明）
本発明の実施形態は、その番組を観るのをそれほど妨げることなしに、視聴者が、フルスクリーン・モードで拡張放送デジタルＴＶ番組を観て、放送デジタル拡張ストリームに含まれる副次デジタル・コンテンツと対話を開始できる方法である。
【０００６】
本明細書で本発明の「一実施形態」または「実施形態」について述べているのは、その実施形態に関連して説明する特定の特徴、構造、または特質が、本発明の少なくとも１つの実施形態に含まれることを意味する。したがって、本明細書全体の様々な個所に現れる「一実施形態では」という句の出現は、必ずしもすべて同一の実施形態を指しているのではない。
【０００７】
図１は、フルスクリーン・モードで表示された従来技術のＴＶ番組を示す図である。通常のアナログ・モードでは、ＴＶ番組は、スクリーン１０を完全に埋めて表示される。また、ＴＶ放送がデジタルである場合も、ＴＶ番組は、図１に示すとおり、フルスクリーン・モードで表示される。図２は、本発明の実施形態によるアニメートされた放送事業者局ＩＤ１４とともにフルスクリーン・モードで表示されたＴＶ番組１２を示す図である。ほとんどのＴＶ放送事業者は、現在、局識別（ＩＤ）記号または「バグ」を放送に先立ってＴＶ信号に挿入している。例えば、「バグ」は、放送事業者のロゴ、またはその他の識別子（例えば、「ＣＮＮ」、「ＣＮＢＣ」、Ｈｉｓｔｏｒｙ　Ｃｈａｎｎｅｌを表す様式化された「Ｈ」等）であることが可能である。この局ＩＤは、視聴者のＴＶ受信機によって現在、受信されている番組コンテンツをどの放送事業者が放送しているかを視聴者に知らせる。視聴者は、このＩＤがスクリーン上でＴＶ番組にかぶさっているのを見慣れている。いくつかのケースでは、ＩＤは、部分的に透明で、視聴者が下にある番組をそれでも完全に見ることができるようになっている。ＩＤは、部分的に透明である場合、それほど目障りではない。
【０００８】
本発明の実施形態による拡張デジタルＴＶ放送信号の一部として、スクリーン上の局ＩＤの位置、およびその局ＩＤをアニメートする追加の「スプライト」、つまり追加の情報を受信側システムに送信することができる。本出願では、スプライトは、比較的小さいビジュアル・オブジェクトまたはイメージである。これらの追加のスプライトは、フルスクリーン・モードで番組を観るのがさらに妨げられるようになることなく、ＴＶ番組ビデオ信号に混ぜることができる。新しい副次デジタル・コンテンツがＴＶ信号を介して受信機システムに着信したとき、アニメートしている（変化している）このスプライトを局ＩＤと併せて使用して、対話式デジタル・コンテンツが受信機に着信したことを視聴者に示すことができる。例えば、局ＩＤは、新しい副次デジタル・コンテンツが着信したとき、断続的に点滅する。図２でＩＤ１４を囲んでいる線は、副次デジタル・コンテンツの着信を知らせるＩＤの外観の変更を示す例としての表示であり、本発明の範囲に対する限定を意図するものではない。本明細書で使用する副次デジタル・コンテンツとは、ＴＶ番組のオーディオ信号およびビデオ信号に付随する任意のデータを指す。一実施形態に関連してアニメーションについて述べたが、局ＩＤの位置、色合い、サイズ、またはその他の可視属性における任意の変化を使用して、本発明に従って副次デジタル・コンテンツが利用可能であるのを示すことができる。
【０００９】
一実施形態では、ユーザは、局ＩＤが現在、アニメートされていない場合でさえ、局ＩＤを選択することによってプログラムにおける次のポイントで副次デジタル・コンテンツとの対話を開始することができる。
【００１０】
視聴者は、何らかの周知のユーザ・インターフェース機構を使用してアニメートされた局ＩＤを選択した後、副次デジタル・コンテンツとの対話を開始することができる。図３は、本発明の実施形態による、対話式データ１８として示された副次デジタル・コンテンツが、スクリーンの残りの部分に表示されている対話式スクリーン・モードで表示されたＴＶ番組１６を示す図である。この対話は、ＴＶビデオに混ぜられたさらなるスプライト、ＴＶビデオの周囲のハイパーテキスト・マークアップ言後（ＨＴＭＬ）ページ、またはＷｏｒｌｄ　Ｗｉｄｅ　Ｗｅｂ（ＷＷＷ）技術に基づく任意の対話を含む。各ケースで、提示されるデータは対話式である。つまり、視聴者は、任意の周知のユーザ・インターフェースを使用してそのデータと対話することができる。
【００１１】
例えば、視聴者がフットボールの試合などのスポーツ・イベントの拡張デジタルＴＶ放送を観ていると想定する。通常、フィールド上の現在のアクションの画面がスクリーン全体に表示されている。放送事業者ＩＤが、スクリーンの隅などの一部分に表示されて、特定の放送事業者によって供給される番組コンテンツを観ていることを視聴者に知らせる。局ＩＤ記号は、通常、フルスクリーンの全体サイズに比べて小さい。放送事業者は、例えば、試合の統計などの副次デジタル・コンテンツを放送するとき、拡張放送デジタルＴＶ信号のデータ部分の中に情報を含めて局ＩＤをアニメートし、最新の統計が入手可能であることを視聴者に示す。視聴者は、局ＩＤに気づき、ユーザ・インターフェースを使用してそれを選択する。表示モードが対話モードに切り替わり、視聴者はスクリーンの対話式データ部分の中の統計またはその他のデータを見ることができる。視聴者はその副次デジタル・コンテンツとの対話を継続することができる。
【００１２】
もちろん、これは副次デジタル・コンテンツとの対話の一例に過ぎない。コンテンツは任意の目的で視聴者に提示される任意のデータとすることができる。対話を開始するこの方法は、放送デジタルＴＶ信号上で搬送される任意の対話式コンテンツに関して使用することができる。本発明の実施形態は、ＴＶ番組に関してフルスクリーン・モードのままで、副次デジタル・コンテンツとの対話を開始するために放送局ＩＤまたはその他の表示オブジェクトをアニメートしたり、または別の仕方でハイライトして、選択することを含む。本発明の使用により、対話を開始するのに視聴者の注意を放送事業者の局ＩＤに集中させることによって放送事業者のブランドに価値を加えることができる。
【００１３】
図４は、本発明の実施形態による拡張デジタルＴＶ放送との対話を開始するためのシステムを示す図である。図４に示すシステムは、放送ソース（図示せず）から拡張デジタルＴＶ信号４２を受信するための受信機システムを含む。拡張ＴＶ信号は、無線放送による、ケーブルによる、サテライト伝送による、またはコンピュータ網（例えば、インターネットまたはイントラネット）によるなどの任意の周知の方法を介して受信することができる。拡張デジタルＴＶ信号４２は、オーディオ成分、ビデオ成分、およびデータ成分を含む。データ成分は、オーディオ成分およびビデオ成分によって表されるＴＶ番組に関する副次デジタル・コンテンツを含む。データ成分は、周知の仕方で注またはタグが付けられ、オーディオ成分およびビデオ成分と同期していることが可能である。ビデオ成分は、いくつかの周知の方法の任意のもの（例えば、アルファ・ブレンディング）を使用して放送事業者によってＴＶ画像に混ぜられた放送事業者ロゴまたは局ＩＤを含む。受信機システムは、デジタルＴＶ変換論理を備えたアナログＴＶセット、デジタルＴＶ、セットトップ・ボックス、パーソナル・コンピュータ（ＰＣ）システム、パーソナル・デジタル・アシスタント（ＰＤＡ）、ハンドヘルド・コンピュータ、またはデジタルＴＶ信号を受信して処理することができる任意の他のデバイスを含んでもよい。受信機システムはディスプレイ４４上にＴＶ番組を表示する。ディスプレイ４４は、テレビジョン、コンピュータ・モニタ、または他の表示デバイスでよい。受信機システム内部で、オーディオ／ビデオ信号復号器４６が、放送デジタルＴＶ信号のオーディオ成分およびビデオ成分を処理する。処理されたオーディオ成分およびビデオ成分は、ディスプレイでレンダリングするためにディスプレイ・ドライバ４８によって供給される。ディスプレイ・ドライバは、オーディオ要素およびビデオ要素を組み合わせてディスプレイおよび関連するオーディオ回路（図示せず）で表現するためのストリームにする。
【００１４】
本発明の実施形態によれば、データ復号器５０が、拡張デジタルＴＶ信号ストリームのデータ成分を処理する。このデータは、オーディオ成分およびビデオ成分に関連する副次デジタル・コンテンツを含む。本発明の実施形態の一部として、データ復号器は、ＩＤエクストラクタ論理５２、ＩＤアニメータ論理５４、およびＩＤ対話論理５６を含む。ＩＤエクストラクタ論理５２は、拡張ＴＶ信号ストリームのデータ成分を構文解析して、放送事業者の局ＩＤのスクリーン上の位置、スクリーン上の局ＩＤの外観をいつアニメートするか、または別の仕方で変更するかに関連する情報、視聴者によってＩＤが選択されたときに行う処理を説明する情報、および副次デジタル・コンテンツとの対話をサポートするために必要な任意の他の情報を獲得する。ＩＤアニメータ論理５４は、放送事業者の局ＩＤ表示オブジェクトの外観をアニメートして、または別の仕方で一時的に変更して視聴者の注意を得る。アニメーションまたはその他の外観の変更は、対話に利用できる副次デジタル・コンテンツが、拡張放送デジタルＴＶ信号ストリームの中に存在するときに適用することができる。ＩＤ対話論理５６は、副次デジタル・コンテンツと対話するための視聴者の入力（局ＩＤの選択などの）を受け入れる。例えば、対話は、ＴＶスクリーンの一部分でＴＶ番組のオーディオ／ビデオ部分に関連するテキスト、イメージ、またはビデオを表示する要求を含むであろう。ＴＶ番組のオーディオ／ビデオ部分に関連するテキスト、イメージ、またはビデオは、受信された拡張ＴＶ信号から、受信機システム内部の記憶媒体から、または別のデバイスまたはインターネットなどの受信機システムに結合された外部ソースから獲得することができる。ＩＤアニメータ論理およびＩＤ対話論理は、ディスプレイ４４上で最終的に表示するため、表示データをディスプレイ・ドライバ４８に転送する。いくつかの実施形態では、データ復号器が、受信機システム内部の、または受信機システムに結合された記憶媒体上にデータ成分のいくらかの部分またはすべてを記憶することができる。
【００１５】
図５は、本発明の実施形態に従って拡張デジタルＴＶ放送との対話を開始することを示す流れ図である。ブロック１００で、受信機システムが拡張デジタルＴＶ信号を受信する。この拡張デジタルＴＶ信号は、オーディオ成分、ビデオ成分、およびデータ成分を含む。ブロック１０２で、拡張デジタルＴＶ信号がその構成部分に復号される。ブロック１０４で、信号のオーディオ成分およびビデオ成分が受信機システムによって処理されて、ディスプレイによってレンダリングされる。つまり、オーディオ部分が、サウンドに変換され、またビデオ部分がディスプレイによってイメージに変換される。さらに、データ成分をさらなる処理のために受信機システム内部に保存することができる。次に、ブロック１０６で、局ＩＤ情報を、存在する場合、データ成分から抽出することができる（例えば、位置、表示する時刻、アニメーション特性等）。ブロック１０８で、データ成分の中の受信されたタイミング情報に基づき、局ＩＤがディスプレイ上でアニメートされ、または別の仕方でその外観が変更されて視聴者の注意を引き付ける。
【００１６】
ブロック１１０で、局ＩＤアニメーションまたは外観変更に応答して視聴者入力が受け取られた場合、処理がブロック１１２に進み、受信機システムに関して対話オペレーション・モードに入る。視聴者入力が受け取られなかった場合には、処理は、ブロック１０４でオーディオ・データおよびビデオ・データを示すことに進む。対話オペレーション・モードに入った場合、ブロック１１４で、データ成分のいくつかの部分が復号され、視聴者による閲覧のためにディスプレイ上で表示され、またその他の視聴者対話が処理される。ブロック１１６で、フルスクリーンＴＶの非対話モードに戻るのを望むことを示す視聴者入力が受け取られた場合には、対話モードが終了し、受信機システムはディスプレイのスクリーン全体に拡張ＴＶ信号のオーディオ成分およびビデオ成分を表示する。次に、処理は、ブロック１０４に進む。そうでなければ、さらなる対話が所望されており、処理はブロック１１４に進む。
【００１７】
以上、拡張デジタルＴＶ番組との対話を開始する方法を説明した。この方法は、ＴＶ信号のオーディオ成分およびビデオ成分の表示に関してフルスクリーン機能を提供する一方、ＴＶ番組のフルスクリーン表示を妨げることなく、視聴者が着信する副次デジタル・コンテンツの通知を受けることができる。
【００１８】
以上の説明では、本発明の様々な態様を説明してきた。説明では、本発明の完全な理解を提供するため、特定の数、システム、および構成を提示した。ただし、本開示を役立てる当分野の技術者には、その特定の詳細なしに本発明を実施できることが明白であろう。その他、本発明を不明瞭にしないよう、周知の特徴は、省略、または簡略化している。
【００１９】
本発明の実施形態は、ハードウェアまたはソフトウェアで、またはハードウェアとソフトウェアの組み合わせで実施することができる。ただし、本発明の実施形態は、少なくとも１つのプロセッサ、データ記憶システム（揮発性メモリおよび不揮発性メモリ、および／または記憶要素を含む）、少なくとも１つの入力デバイス、および少なくとも１つの出力デバイスを含むプログラマブル・システム上で実行されるコンピュータ・プログラムとして実施することも可能である。プログラム・コードを入力データに適用して本明細書で説明した機能を行い、出力情報を生成することができる。この出力情報を周知の仕方で１つまたは複数の出力デバイスに適用することができる。この出願では、受信機システムを実現する処理システムには、例えば、デジタル信号プロセッサ（ＤＳＰ）、マイクロコントローラ、特定用途向け集積回路（ＡＳＩＣ）、またはマイクロプロセッサなどのプロセッサを有する任意のシステムが含まれる。
【００２０】
プログラムは、処理システムと通信を行う高レベルの手続き言語またはオブジェクト指向プログラミング言語で実現することができる。また、プログラムは、所望される場合、アセンブリ言語または機械言語で実現することもできる。実際、本発明の範囲は、どの特定のプログラミング言語にも限定されない。いずれにしても、言語は、コンパイルされる言語または解釈される言語であることが可能である。
【００２１】
プログラムは、汎用または専用のプログラマブル処理システムによって読取り可能な取外し可能の記憶媒体または記憶デバイス（例えば、フロッピー（登録商標）・ディスク・ドライブ、読取り専用メモリ（ＲＯＭ）、ＣＤ−ＲＯＭデバイス、フラッシュ・メモリ・デバイス、デジタル・バーサタイル・ディスク（ＤＶＤ）、またはその他の記憶デバイス）に記憶されることができ、記憶媒体または記憶デバイスが処理システムによって読み取られたとき、本明細書で説明した手続きを実行するようにその処理システムを構成する、または動作させることを目的とする。また、本発明の実施形態は、処理システムで使用するように構成されたマシン可読記憶媒体として実施するように考えることも可能であり、この場合、そのように構成された記憶媒体が、本明細書で説明した機能を特定の事前定義された仕方で実行するように処理システムを動作させる。
【００２２】
１つのそのようなタイプの処理システムの例を図６に示しているが、その他のシステムを使用することも可能であり、図示するシステムのすべての構成要素が本発明に必要なわけではない。サンプルのシステム４００を使用して、例えば、本明細書で説明する実施形態のような受信機システムの実施形態のための処理を本発明に従って実行することができる。サンプルのシステム４００は、Ｉｎｔｅｌ　Ｃｏｒｐｏｒａｔｉｏｎから入手可能なＰＥＮＴＩＵＭ（登録商標）ＩＩ、ＰＥＮＴＩＵＭ（登録商標）ＩＩＩ、およびＣＥＬＥＲＯＮ（商標）マイクロプロセッサに基づく処理システムを表しているが、その他のシステム（その他のマイクロプロセッサを有するパーソナル・コンピュータ（ＰＣ）、エンジニアリング・ワークステーション、その他のセットトップ・ボックス等を含む）およびその他のアーキテクチャも使用することができる。
【００２３】
図６は、本発明の一実施形態のシステム４００を示すブロック図である。システム４００は、データ信号を処理するプロセッサ４０２を含む。プロセッサ４０２は、プロセッサ４０２とシステム４００の中のその他の構成要素の間でデータ信号を伝送するプロセッサ・バス４０４に結合することができる。
【００２４】
システム４００はメモリ４０６を含む。メモリ４０６はプロセッサ４０２によって実行されるデータ信号で表される命令および／またはデータを記憶する。命令および／またはデータは、本発明の技法の任意のもの、および／またはすべてを実行するためのコードを含む。また、メモリ４０６は、追加のソフトウェアおよび／またはデータ（図示せず）も含むことができる。メモリ４０６の中に記憶されたデータ信号を記憶するキャッシュ・メモリ４０８がプロセッサ４０２内部に設けてもよい。
【００２５】
ブリッジ／メモリ・コントローラ４１０をプロセッサ・バス４０４およびメモリ４０６に結合することができる。ブリッジ／メモリ・コントローラ４１０は、プロセッサ４０２、メモリ４０６、およびシステム４００の中のその他の要素の間でデータ信号を誘導し、またプロセッサ・バス４０４、メモリ４０６、および第１の入力／出力（Ｉ／Ｏ）バス４１２の間でデータ信号をブリッジする。この実施形態では、ユーザに対してグラフィックス・コントローラ４１３によってレンダリングされる、または別の仕方で処理されるイメージを表示するためにグラフィックス・コントローラ４１３が表示デバイス（図示せず）とインターフェースを取る。
【００２６】
第１のＩ／Ｏバス４１２は、単一のバス、または複数のバスの組み合わせを含む。第１のＩ／Ｏバス４１２は、システム４００の中の構成要素間における通信リンクを提供する。ネットワーク・コントローラ４１４を第１のＩ／Ｏバス４１２に結合することができる。いくつかの実施形態では、表示デバイス・コントローラ４１６を第１のＩ／Ｏバス４１２に結合することができる。表示デバイス・コントローラ４１６は、表示デバイスをシステム４００に結合できるようにし、また表示デバイス（図示せず）とシステムの間のインターフェースとして作用する。表示デバイスは、表示デバイス・コントローラ４１６を介してプロセッサ４０２からデータ信号を受け取り、そのデータ信号に含まれる情報をシステム４００のユーザに表示する。
【００２７】
第２のＩ／Ｏバス４２０が、単一のバス、または複数のバスの組み合わせを含んでもよい。第２のＩ／Ｏバス４２０は、システム４００の中の構成要素間の通信リンクを提供する。データ記憶デバイス４２２を第２のＩ／Ｏバス４２０に結合することができる。キーボード・インターフェース４２４も第２のＩ／Ｏバス４２０に結合することができる。ユーザ入力インターフェース４２５も第２のＩ／Ｏバス４２０に結合することができる。ユーザ入力インターフェースは、例えば、リモート・コントロール、マウス、ジョイスティック、またはトラックボールなどのユーザ入力デバイスに結合して、入力データをコンピュータ・システムに提供することができる。１つまたは複数のラウドスピーカ（図示せず）を介するオーディオ信号の処理を扱うため、オーディオ・コントローラ４２７を第２のＩ／Ｏバス４２０に結合することができる。バス・ブリッジ４２８が第１のＩ／Ｏブリッジ４１２を第２のＩ／Ｏブリッジ４２０に結合する。
【００２８】
本発明の実施形態は、受信機システムとしてシステム４００を使用することに関連する。一実施形態によれば、そのような処理は、プロセッサ４０２がメモリ４０４の中の命令シーケンスを実行することに応答して、システム４００によって行われてもよい。そのような命令は、例えば、データ記憶デバイス４２２などの別のコンピュータ可読媒体から、またはネットワーク・コントローラ４１４を介して別のソースからメモリ４０４の中に読み込むことができる。命令シーケンスの実行により、プロセッサ４０２が、本発明の実施形態に従ってデジタルＴＶ処理を実行する。代替の実施形態では、ソフトウェア命令の代わりに、またはソフトウェア命令との組み合わせでハードウェア回路を使用して、本発明の実施形態を実装することができる。したがって、本発明は、ハードウェア回路とソフトウェアの特定の組み合わせには全く限定されない。
【００２９】
システム４００の要素は、当技術分野で周知の仕方で従来の機能を実行する。詳細には、データ記憶デバイス４２２を使用して、本発明による受信機システムの実施形態に関する実行可能命令およびデータ構造のための長期記憶を提供することができ、他方、メモリ４０６は、プロセッサ４０２による実行中、本発明による受信機システムの実施形態の実行可能命令を短期間、記憶するのに使用される。
【００３０】
本発明を例としての実施形態に関連して説明してきたが、以上の説明は、限定する意味に解釈されるべきものではない。例としての実施形態の様々な変更形態、ならびに本発明が関係する分野の技術者には明白な本発明のその他の実施形態が、本発明の趣旨および範囲の中に入るものと考えられる。
【図面の簡単な説明】
【図１】
フルスクリーン・モードで表示されている従来技術のＴＶ番組を示す図である。
【図２】
本発明の実施形態によるアニメートされた放送事業者局ＩＤとともにフルスクリーン・モードで表示されたＴＶ番組を示す図である。
【図３】
本発明の実施形態による対話式データがスクリーンの残りの部分に表示されている対話式スクリーン・モードで表示されたＴＶ番組を示す図である。
【図４】
本発明の実施形態による拡張デジタルＴＶ放送と対話を開始するためのシステムを示す図である。
【図５】
本発明の実施形態に従って拡張デジタルＴＶ放送と対話を開始することを示す流れ図である。
【図６】
本発明の実施形態による受信機システムとして使用することが可能なシステムを示す図である。
【図１】
2004509483.tif 000003
【図２】
2004509483.tif 000004
【図３】
2004509483.tif 000005
【図４】
2004509483.tif 000006
【図５】
2004509483.tif 000007
【図６】
2004509483.tif 000008
【国際公開パンフレット】
2004509483.tif 000009
2004509483.tif 000010
2004509483.tif 000011
2004509483.tif 000012
2004509483.tif 000013
2004509483.tif 000014
2004509483.tif 000015
2004509483.tif 000016
2004509483.tif 000017
2004509483.tif 000018
2004509483.tif 000019
2004509483.tif 000020
2004509483.tif 000021
2004509483.tif 000022
2004509483.tif 000023
2004509483.tif 000024
2004509483.tif 000025
2004509483.tif 000026
2004509483.tif 000027
2004509483.tif 000028
2004509483.tif 000029
2004509483.tif 000030
【国際調査報告】
2004509483.tif 000031
2004509483.tif 000032
2004509483.tif 000033